(57)【要約】【課題】カード型装置が、物理的に離れた装置の機能を利用できるようにする。【解決手段】第１情報処理装置１１０は、第１情報送受信部１１２及び第２情報送受信部１１４を有している。第１情報送受信部１１２は、カード型装置２０との間で、非接触式で情報を送受信する。第１情報送受信部１１２は、第２情報送受信部１１４を介して、第２情報処理装置１２０との間で、第１規格に準拠したままで情報を送受信する。第２情報処理装置１２０は、情報処理部１２２を有している。情報処理部１２２は、第１規格に準拠した情報を処理する。情報処理部１２２は、第２情報送受信部１１４との間で信号を送受信する。【選択図】図１
2013196439.tif 000002
【特許請求の範囲】
【請求項１】
第１情報処理装置と、第２情報処理装置とを備え、
前記第１情報処理装置は、
情報を記憶する記憶手段を有しており、第１規格に準拠しているカード型装置との間で、非接触式で前記第１規格に準じた形式の情報を送受信する第１情報送受信手段と、
前記第１情報送受信手段と前記カード型装置との間で送受信される前記情報を、前記第１規格に準じた形式のままで、前記第２情報処理装置との間で送受信する第２情報送受信手段と、
を有しており、
前記第２情報処理装置は、前記第１規格に準じた前記情報を処理し、かつ、前記第２情報送受信手段との間で、前記情報を、前記第１規格に準じた形式のままで送受信する信号処理手段を有している情報処理システム。
【請求項２】
第１情報処理装置が、
情報を記憶する記憶手段を有しており、第１規格に準拠しているカード型装置との間で、非接触式で前記第１規格に準じた形式の情報を送受信し、
前記カード型装置との間で送受信される前記情報を、前記第１規格に準じた形式のままで、第２情報処理装置との間で送受信し、
前記第２情報処理装置は、前記第１規格に準じた前記情報を処理し、かつ、前記第１情報処理装置との間で、前記情報を、前記第１規格に準じた形式のままで送受信する情報処理方法。
【発明の詳細な説明】
【技術分野】
【０００１】
本発明は、規格化されたカード型装置との間で情報を送受信する情報処理システム及び情報処理方法に関する。
【背景技術】
【０００２】
近年はＩＣ（Integrated Circuit）カードなどのカード型装置の普及が進んでいる。例えば特許文献１には、クライアント端末にＩＣカード用のドライバ及びアプリケーションソフトをインストールすることで、サーバがカードタイプの異なる複数のＩＣカードに対応できるようにすることが記載されている。
【０００３】
なお特許文献２には、メモリ機能を有するカード用のアダプタをパーソナルコンピュータに接続し、このパーソナルコンピュータに追加機能用の仮想ドライバをインストールすることが記載されている。
【０００４】
また、特許文献３には、クライアント端末でＩ／Ｏ（Input/Output）デバイスの仮想化を行うことで、クライアント端末がサーバのＩ／Ｏデバイスを利用できるようにすることが記載されている。
【先行技術文献】
【特許文献】
【０００５】
【特許文献１】特開２００８−２８２０６４号公報
【特許文献２】特開２００６−３２３４６３号公報
【特許文献３】特開２００４−２５８８４０号公報
【発明の概要】
【発明が解決しようとする課題】
【０００６】
カード型装置の一つに、非接触方式で通信を行うものがある。このようなカード型装置は、通信距離が短いことが多い。このため、カード型装置は、物理的に離れた装置が有する機能を利用することができない。
【０００７】
本発明の目的は、カード型装置が、物理的に離れた装置が有する機能を利用できるようにする情報処理システム及び情報処理方法を提供することにある。
【課題を解決するための手段】
【０００８】
本発明によれば、第１情報処理装置と、第２情報処理装置とを備え、
前記第１情報処理装置は、
情報を記憶する記憶手段を有しており、第１規格に準拠しているカード型装置との間で、非接触式で前記第１規格に準じた形式の情報を送受信する第１情報送受信手段と、
前記第１情報送受信手段と前記カード型装置との間で送受信される前記情報を、前記第１規格に準じた形式のままで、前記第２情報処理装置との間で送受信する第２情報送受信手段と、
を有しており、
前記第２情報処理装置は、前記第１規格に準じた前記情報を処理し、かつ、前記第２情報送受信手段との間で、前記情報を、前記第１規格に準じた形式のままで送受信する信号処理手段を有している情報処理システムが提供される。
【０００９】
本発明によれば、第１情報処理装置が、
情報を記憶する記憶手段を有しており、第１規格に準拠しているカード型装置との間で、非接触式で前記第１規格に準じた形式の情報を送受信し、
前記カード型装置との間で送受信される前記情報を、前記第１規格に準じた形式のままで、第２情報処理装置との間で送受信し、
前記第２情報処理装置は、前記第１規格に準じた前記情報を処理し、かつ、前記第１情報処理装置との間で、前記情報を、前記第１規格に準じた形式のままで送受信する情報処理方法が提供される。
【発明の効果】
【００１０】
本発明によれば、カード型装置は、物理的に離れた装置が有する機能を利用できる。
【図面の簡単な説明】
【００１１】
【図１】実施形態に係る情報処理システムの機能構成を示す図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１４】
図１は、実施形態に係る情報処理システム１０の機能構成を示す図である。情報処理システム１０は、第１情報処理装置１１０及び第２情報処理装置１２０を有しており、カード型装置２０（例えばＩＣ（Integrated Circuit）カード）との間で、非接触式で信号を送受信する。カード型装置２０は、例えばＩＣカードに関する規格（以下、第１規格と記載）に準拠している。
【００１５】
第１情報処理装置１１０は、第１情報送受信部１１２及び第２情報送受信部１１４を有している。第１情報送受信部１１２は、カード型装置２０との間で、非接触式で情報（例えばデバイスＩＯ（Input/Output）コントロールデータ）を送受信する。ここでやり取りされる情報は、第１規格に準拠している。第２情報送受信部１１４は、第２情報処理装置１２０との間で信号を送受信する。ここで送受信される信号も、第１規格に準拠している。そして第１情報送受信部１１２は、第２情報送受信部１１４を介して、第２情報処理装置１２０との間で、第１規格に準拠したままで情報を送受信する。
【００１６】
第２情報処理装置１２０は、情報処理部１２２を有している。情報処理部１２２は、第１規格に準拠した情報を処理する。情報処理部１２２は、例えばドライバ及びＯＳ（Operating system）によって構成される。情報処理部１２２は、第２情報送受信部１１４との間で信号を送受信する。情報処理部１２２と第２情報送受信部１１４の間の信号の送受信は、専用線によって行われても良いし、インターネットなどの公衆通信網を介して行われても良い。また第２情報送受信部１１４と情報処理部１２２の間の通信網は、有線通信であっても良いし、少なくとも一部が無線通信であってもよい。
【００１７】
情報処理部１２２は、第２情報送受信部１１４を、第１規格に準拠した信号を送受信するための仮想化された情報送受信部（以下、仮想情報送受信部１２４と記載）と認識する。すなわち情報処理部１２２は、第１情報処理装置１１０を介してカード型装置２０との間で情報を送受信するとき、第２情報処理装置１２０に設けられた情報送受信部を介してカード型装置２０との間で情報を送受信していると認識する。
【００１８】
本実施形態において、カード型装置２０に記憶されている情報は、第１情報処理装置１１０の第１情報送受信部１１２によって読み取られ、第２情報送受信部１１４を介して第２情報処理装置１２０の情報処理部１２２に送信され、情報処理部１２２で処理される。また情報処理部１２２から出力された情報は、第２情報送受信部１１４及び第１情報送受信部１１２を介して、カード型装置２０に送信される。
【００１９】
次に、本実施形態の作用及び効果について説明する。本実施形態によれば、第１情報処理装置１１０は、カード型装置２０の規格に準拠した情報を処理する機能を必要としない。そして、カード型装置２０は、物理的に離れた装置が有する機能（例えば第２情報処理装置１２０の情報処理部１２２）を利用することができる。
【００２０】
以上、図面を参照して本発明の実施形態について述べたが、これらは本発明の例示であり、上記以外の様々な構成を採用することもできる。
【符号の説明】
【００２１】
１０ 情報処理システム
２０ カード型装置
１１０ 第１情報処理装置
１１２ 第１情報送受信部
１１４ 第２情報送受信部
１２０ 第２情報処理装置
１２２ 情報処理部
１２４ 仮想情報送受信部
【図１】
2013196439.tif 000003